(57)【要約】【課題】フィルタがハウジングに正常に装着されていることを容易かつ確実に検知することができるように改良された携帯用クリーナを提供する。【解決手段】携帯用クリーナは、ハウジング１０と、ハウジング１０に装着されるフィルタ３０と、を備える。フィルタ３０をハウジング１０に対して回転させると、フィルタ３０がハウジング１０に着脱される。フィルタ３０の一端には開口部が設けられ、この開口部の周囲に当該開口部の周方向において互いに離間する複数の係合部３５が形成され、ハウジング１０には、複数の係合部３５がそれぞれ係合する複数の係合溝１６が形成される。フィルタ３０の所定方向への回転に伴って係合部３５が係合溝１６に係合し、かつ、所定位置まで移動したことが第１スイッチ５１および第２スイッチ５２によって検知される。【選択図】図７
2020192185.tif 000002
【特許請求の範囲】
【請求項１】
モータおよび前記モータによって回転駆動されるファンを収容するハウジングと、前記ハウジングに装着されるダストケースと、前記ハウジングに装着され、かつ、前記ダストケースに覆われるフィルタと、を備え、前記フィルタを前記ハウジングに対して第１方向に回転させると、当該フィルタが前記ハウジングに固定され、前記フィルタを前記ハウジングに対して前記第１方向とは反対の第２方向に回転させると、当該フィルタの前記ハウジングに対する固定が解除される携帯用クリーナであって、
前記フィルタは、一端に開口部が設けられ、他端が閉塞された筒形状を有し、
前記フィルタの前記開口部の周囲に、前記開口部の周方向において互いに離間する複数の係合部が形成され、
前記ハウジングに、複数の前記係合部がそれぞれ係合する複数の被係合部が形成され、
前記ハウジングに、前記フィルタの前記第１方向への回転に伴って前記係合部が前記被係合部に係合し、かつ、所定位置まで移動したことを検知するためのセンサが設けられている、
携帯用クリーナ。
【請求項２】
前記センサは、前記係合部の移動経路上に設けられたスイッチであり、
前記フィルタの前記第１方向への回転に伴って前記係合部が前記被係合部に係合し、かつ、前記所定位置まで移動すると、前記係合部によって前記スイッチが押される、
請求項１に記載の携帯用クリーナ。
【請求項３】
前記係合部には、第１係合部および第２係合部が含まれ、
前記被係合部には、第１被係合部および第２被係合部が含まれ、
前記ハウジングに、前記第１被係合部に係合し、かつ、前記所定位置まで移動した前記第１係合部または前記第２係合部によって押される第１スイッチと、前記第２被係合部に係合し、かつ、前記所定位置まで移動した前記第２係合部または前記第１係合部によって押される第２スイッチと、が設けられている、
請求項２に記載の携帯用クリーナ。
【請求項４】
前記第１係合部と前記第２係合部とは、前記開口部の径方向において互いに正対する位置に形成されている、
請求項３に記載の携帯用クリーナ。
【請求項５】
前記フィルタは、前記開口部の周囲に突設された複数の当接部を有し、
前記センサは、前記当接部の移動経路上に設けられたスイッチであり、
前記フィルタの前記第１方向への回転に伴って前記係合部が前記被係合部に係合し、かつ、前記所定位置まで移動すると、前記当接部によって前記スイッチが押される、
請求項１に記載の携帯用クリーナ。
【請求項６】
前記係合部には、第１係合部および第２係合部が含まれ、
前記被係合部には、第１被係合部および第２被係合部が含まれ、
前記当接部には、第１当接部および第２当接部が含まれ、
前記フィルタの前記第１方向への回転に伴って前記係合部が前記被係合部に係合し、かつ、前記所定位置まで移動すると、前記第１当接部または前記第２当接部によって前記スイッチが押される、
請求項５に記載の携帯用クリーナ。
【請求項７】
前記第１係合部と前記第２係合部とは、前記開口部の径方向において互いに正対する位置に形成され、
前記第１当接部と前記第２当接部とは、前記開口部の径方向において互いに正対する位置に形成され、
前記第１係合部，第２係合部，第１当接部および第２当接部は、前記開口部の周方向に沿って等間隔で配置されている、
請求項６に記載の携帯用クリーナ。
【請求項８】
前記フィルタの前記第１方向への回転に伴って前記係合部が前記被係合部に係合し、かつ、前記所定位置まで移動したことが前記センサによって検知されたときにのみ前記モータを作動させる制御部を有する、
請求項１〜７のいずれか一項に記載の携帯用クリーナ。
【請求項９】
前記フィルタの前記第１方向への回転に伴って前記係合部が前記被係合部に係合し、かつ、前記所定位置まで移動したことが前記センサによって検知されないときに、音と光の少なくとも一方を発する報知部を有する、
請求項１〜８のいずれか一項に記載の携帯用クリーナ。
【発明の詳細な説明】
【技術分野】
【０００１】
本発明は、回転操作によってハウジングに着脱されるフィルタを有する携帯用クリーナに関する。
【背景技術】
【０００２】
モータによって回転駆動されるファンによって空気流を発生させて塵や埃などを吸い込む携帯用クリーナが知られている。この種の携帯用クリーナは、空気流に含まれている塵埃を分離するためのフィルタを有する。携帯用クリーナが有するフィルタの多くはハウジングに着脱可能とされており、使用者は、フィルタをハウジングから取り外して清掃し、清掃済みのフィルタをハウジングに再び取り付けることができる。また、使用者は、使用済みのフィルタをハウジングから取り外し、未使用のフィルタをハウジングに取り付けることができる。つまり、フィルタを交換することができる。
【０００３】
清掃済みのフィルタや未使用のフィルタをハウジングに装着する際、これらフィルタがハウジングに正常に装着されないことがある。また、フィルタの装着が忘れられることがある。フィルタが正常に装着されていない状態やフィルタが装着されていない状態で携帯用クリーナが使用されると、モータなどが収容されているハウジング内に塵埃が侵入し、様々な不具合が発生する虞がある。
【先行技術文献】
【特許文献】
【０００４】
【特許文献１】特開２０１６−６７６６４号公報
【発明の概要】
【発明が解決しようとする課題】
【０００５】
フィルタが正常に装着されていない状態やフィルタが装着されていない状態で携帯用クリーナが使用されることを抑制するために、携帯用クリーナにおいて、ハウジングに対するフィルタの装着状態を検知するための検知手段を備えることや、ハウジングにフィルタが正常に装着されていない場合やハウジングにフィルタが装着されていない場合にファンの作動を禁止するインターロック手段を備えることが考えられる。
【０００６】
しかしながら、ハウジングに対するフィルタの正常な装着状態は、ハウジングとフィルタとの固定構造やフィルタの形状などによって異なる。よって、フィルタがハウジングに正常に装着されていることを検知するための構造や機構もハウジングとフィルタとの固定構造やフィルタの形状などに応じて検討する必要がある。
【０００７】
本発明の目的は、円筒形のフィルタをハウジングに対して回転させることによって、当該フィルタがハウジングに固定され、または当該フィルタのハウジングに対する固定が解除される携帯用クリーナであって、フィルタがハウジングに正常に装着されていることを容易かつ確実に検知することができるように改良された携帯用クリーナを提供することである。
【課題を解決するための手段】
【０００８】
本発明の携帯用クリーナは、モータおよび前記モータによって回転駆動されるファンを収容するハウジングと、前記ハウジングに装着されるダストケースと、前記ハウジングに装着され、かつ、前記ダストケースに覆われるフィルタと、を備え、前記フィルタを前記ハウジングに対して第１方向に回転させると、当該フィルタが前記ハウジングに固定され、前記フィルタを前記ハウジングに対して前記第１方向とは反対の第２方向に回転させると、当該フィルタの前記ハウジングに対する固定が解除される。前記フィルタは、一端に開口部が設けられ、他端が閉塞された筒形状を有する。前記フィルタの前記開口部の周囲には、前記開口部の周方向において互いに離間する複数の係合部が形成される。前記ハウジングには、複数の前記係合部がそれぞれ係合する複数の被係合部が形成される。前記ハウジングには、前記フィルタの前記第１方向への回転に伴って前記係合部が前記被係合部に係合し、かつ、所定位置まで移動したことを検知するためのセンサが設けられる。
【発明の効果】
【０００９】
本発明によれば、円筒形のフィルタをハウジングに対して回転させることによって、当該フィルタがハウジングに固定され、または当該フィルタのハウジングに対する固定が解除される携帯用クリーナであって、フィルタがハウジングに正常に装着されていることを容易かつ確実に検知することができるように改良された携帯用クリーナが実現される。
【図面の簡単な説明】
【００１０】
【図１】本発明が適用された携帯用クリーナの断面図である。
【図２】本発明が適用された携帯用クリーナの平面図である。
【図３】ハウジングに対するダストケース及びフィルタの固定構造を示す部分拡大断面図である。
【図４】フィルタの一例を示す斜視図である。
【図５】フィルタの一例を示す正面図である。
【図６】ハウジングに図４，図５に示されるフィルタを装着する手順の１つを示す説明図である。
【図７】ハウジングに図４，図５に示されるフィルタを装着する手順の他の１つを示す説明図である。
【図８】ハウジングに図４，図５に示されるフィルタを装着する手順の他の１つを示す説明図である。
【図９】フィルタの他の一例を示す斜視図である。
【図１０】フィルタの他の一例を示す正面図である。
【図１１】ハウジングに図９，１０に示されるフィルタを装着する手順の１つを示す説明図である。
【図１２】ハウジングに図９，１０に示されるフィルタを装着する手順の他の１つを示す説明図である。
【発明を実施するための形態】
【００１１】
（第１実施形態）
以下、本発明の実施形態の一例について図面を参照しながら説明する。図１，図２に示される携帯用クリーナ１Ａは、樹脂製のハウジング１０と、ハウジング１０に装着される樹脂製のダストケース２０と、ハウジング１０に装着され、かつ、ダストケース２０に覆われるフィルタ３０と、を備えている。図１に示されるように、ダストケース２０およびフィルタ３０はハウジング１０に着脱可能であり、ハウジング１０に装着されたダストケース２０内にフィルタ３０が収容されている。より具体的には、ハウジング１０にフィルタ３０を装着し、フィルタ３０が装着されたハウジング１０にダストケース２０を装着すると、ハウジング１０に装着されているフィルタ３０がダストケース２０内に収容され、ダストケース２０によってフィルタ３０が覆われる。
【００１２】
図１に示されるように、ハウジング１０には、モータ４０およびモータ４０によって回転駆動されるファン４１が収容されており、ハウジング１０の上部にはグリップ１１が一体成形されている。図２に示されるように、グリップ１１には、ボタン１２ａ，１２ｂ，１２ｃ及びＬＥＤランプ１２ｄを含む操作パネル１２が設けられている。また、ハウジング１０の後端には、電池パック４２が装着される着脱部１３が設けられている。電池パック４２は給電端子を備えており、着脱部１３には受電端子が設けられている。電池パック４２が着脱部１３に装着されると、電池パック４２が備える給電端子が着脱部１３に設けられている受電端子に接触し、両端子が電気的に接続される。そして、所定条件が満たされた状態で操作パネル１２のボタン１２ａ又はボタン１２ｂが押されると、制御部４３による制御の下で電池パック４２からモータ４０に電力が供給されてモータ４０が作動し、ボタン１２ｃが押されるとモータ４０に対する電力供給が遮断されてモータ４０が停止する。尚、ボタン１２ａが押された場合には、ボタン１２ｂが押された場合に比べて、モータ４０により大きな電力が供給される。つまり、ボタン１２ａが押されると、モータ４０が「強モード」で作動し、ボタン１２ｂが押されると、モータ４０が「標準／弱モード」で作動する。また、電池残量が所定値よりも少なくとなると、ＬＥＤランプ１２ｄが点灯する。
【００１３】
図１に示されるように、電池パック４２が装着される着脱部１３はハウジング１０の後端側に設けられている一方、ファン４１はハウジング１０の先端側に設けられている。言い換えれば、着脱部１３が設けられている側がハウジング１０の後端側であり、ファン４１が設けられている側がハウジング１０の先端側である。
【００１４】
ファン４１はモータ４０の回転軸に固定されており、回転軸と一体的に回転する。本実施形態におけるファン４１はターボ形の遠心ファンであって、中央に設けられた吸入口４１ａと、吸入口４１ａの周囲に設けられた複数の吐出口４１ｂと、吸入口４１ａと各吐出口４１ｂとの間に形成された複数枚のフィン４１ｃと、を備えている。
【００１５】
ハウジング１０の先端にはファン４１の吸入口４１ａと連通する開口部が設けられており、その開口部には円筒形のスリーブ１４が設けられている。図３に示されるように、スリーブ１４の外周には、二組のガイド溝１５ａおよびガイド突起１５ｂが設けられている。具体的には、スリーブ１４の上下にガイド溝１５ａおよびガイド突起１５ｂがそれぞれ設けられている。各組のガイド溝１５ａおよびガイド突起１５ｂは、スリーブ１４の周方向における所定範囲に亘って延在している。言い換えれば、ガイド溝１５ａおよびガイド突起１５ｂは、スリーブ１４の全周に亘って延在しているわけではなく、一方の組のガイド溝１５ａおよびガイド突起１５ｂと、他方の組のガイド溝１５ａおよびガイド突起１５ｂとは、スリーブ１４の周方向において離間している。
【００１６】
図１に示されるように、ダストケース２０は、長手方向両端に開口部が設けられた筒形状を有している。ダストケース２０の先端側に設けられている開口部は、塵埃が吸い込まれる吸込み口２０ａを形成しており、ダストケース２０の後端側の開口部は、ハウジング１０の開口部と接続される接続口である。言い換えれば、吸込み口２０ａが設けられている側がダストケース２０の先端側であり、接続口が設けられている側がダストケース２０の後端側である。尚、吸込み口２０ａは接続口よりも径が小さい筒口である。
【００１７】
ダストケース２０は、ハウジング１０に当該ハウジング１０の開口部を塞ぐように装着されている。具体的には、ダストケース２０の後端がハウジング１０の先端に装着され、ダストケース２０の接続口がハウジング１０の開口部に突き合わされている。
【００１８】
図３に示されるように、ダストケース２０の接続口の内周には、スリーブ１４の外周に設けられているガイド溝１５ａに嵌合する２つの係合突起２１が設けられている。それぞれの係合突起２１を対応するガイド突起１５ｂよりも奥に差し入れた上でダストケース２０を当該ダストケース２０の中心軸を回転軸として回転させると、係合突起２１がガイド突起１５ｂの裏側に進入し（係合突起２１がガイド溝１５ａに嵌合し、）、ダストケース２０がハウジング１０に固定される。
【００１９】
図１，図４，図５に示されるように、フィルタ３０は、一端に開口部３７が設けられ、他端が閉塞された筒形状を有する。以下の説明では、フィルタ３０の一端に設けられている開口部３７を「フィルタ開口部」と呼び、ハウジング１０の先端に設けられている開口部を「ハウジング開口部」と呼ぶ場合がある。
【００２０】
図１に示されるように、フィルタ３０は、プレフィルタ３１およびメインフィルタ３２（図１）から成る二重構造を有する。図４に示されるように、プレフィルタ３１は、樹脂製のフレーム３３と、フレーム３３に設けられている複数の開口部を覆う金属製のメッシュ材３４と、から構成されている。図１に示されているメインフィルタ３２は、袋状に成形された不織布であって、プレフィルタ３１の内側に挿入されている。尚、メインフィルタ３２の内側に、当該メインフィルタ３２の潰れを防止するための保持部材が配置されることもある。
【００２１】
図１に示されるファン４１の回転に伴ってダストケース２０の吸込み口２０ａからダストケース２０内に吸い込まれた空気（塵埃を含む空気）は、プレフィルタ３１，メインフィルタ３２の順でフィルタ３０を通過する。この際、空気中の塵埃がプレフィルタ３１およびメインフィルタ３２に捕捉される。つまり、ダストケース２０に吸い込まれた空気に含まれる塵埃が分離される。
【００２２】
フィルタ３０を通過した空気（塵埃が分離された空気）は、ハウジング開口部を通ってファン４１の吸入口４１ａからファン４１の内部に流入する。ファン４１に流入した空気は、吐出口４１ｂからファン４１の外部に流出し、最終的にハウジング１０の外に排気される。
【００２３】
再び図４，図５を参照する。フィルタ開口部の周囲には、当該フィルタ開口部の周方向において互いに離間する２つの係合部３５が形成されている。具体的には、プレフィルタ３１のフレーム３３の長手方向一端には、フィルタ開口部を形成する環状部３３ａが設けられており、この環状部３３ａの外周に２つの係合部３５（第１係合部３５ａ，第２係合部３５ｂ）が一体成形されている。第１係合部３５ａと第２係合部３５ｂとは、環状部３３ａの径方向において互いに正対する位置に形成されている。つまり、第１係合部３５ａと第２係合部３５ｂとは、フィルタ開口部の周方向において互いに離間しており、かつ、フィルタ開口部の径方向において互いに正対している。言い換えれば、第１係合部３５ａと第２係合部３５ｂとは、フィルタ開口部の周方向において１８０度異なる位置に配置されている。
【００２４】
図５に示されるように、第１係合部３５ａおよび第２係合部３５ｂは、環状部３３ａの周方向に沿って延びるアーチ状に形成されている。この結果、第１係合部３５ａおよび第２係合部３５ｂは、環状部３３ａの径方向（フィルタ開口部の径方向）に撓むことが可能な弾性を有する。また、第１係合部３５ａおよび第２係合部３５ｂの長手方向中央には突起３６がそれぞれ一体成形されている。
【００２５】
図３に示されるように、ハウジング１０には、フィルタ３０に形成されている係合部３５が係合する被係合部としての係合溝１６が形成されている。具体的には、スリーブ１４の内周に、第１被係合部としての第１係合溝１６ａおよび第２被係合部としての第２係合溝１６ｂが形成されている。第１係合溝１６ａと第２係合溝１６ｂとは、ハウジング開口部の径方向において互いに正対する位置に形成されている。言い換えれば、第１係合溝１６ａと第２係合溝１６ｂとは、ハウジング開口部の周方向において１８０度異なる位置に配置されている。さらに言い換えれば、ハウジング開口部を時計の文字盤に見立てた場合、第１係合溝１６ａは１２時の位置に配置されており、第２係合溝１６ｂは６時の位置に配置されている。
【００２６】
図３から理解できるように、第１係合溝１６ａおよび第２係合溝１６ｂは、スリーブ１４の内周面からハウジング開口部の径方向内側に向かって突出するリブ１７と当該リブ１７の後方に位置する環状の壁部１８との間の隙間である。よって、フィルタ３０の環状部３３ａの端面（フィルタ３０の後端面）を壁部１８に突き当てた状態で当該フィルタ３０を当該フィルタ３０の中心軸を回転軸として回転させると、第１係合部３５ａが第１係合溝１６ａに係合し、第２係合部３５ｂが第２係合溝１６ｂに係合する。具体的には、図６に示されるように、第１係合部３５ａが第１係合溝１６ａの側方に位置し、かつ、第２係合部３５ｂが第２係合溝１６ｂの側方に位置する状態でフィルタ３０の後端面を壁部１８に突き当てる。図６では、１２時の位置にある第１係合溝１６ａに対して第１係合部３５ａが概ね２時の位置に配置され、かつ、６時の位置にある第２係合溝１６ｂに対して第２係合部３５ｂが概ね８時の位置に配置された状態でフィルタ３０の後端面が壁部１８に突き当てられている。次いで、図７に示されるように、フィルタ３０を当該フィルタ３０の中心軸を回転軸としてハウジング１０に対して第１方向（図７中において反時計回り方向）に回転させると、第１係合部３５ａが第１係合溝１６ａの一端から当該第１係合溝１６ａに進入し、第２係合部３５ｂが第２係合溝１６ｂの一端から当該第２係合溝１６ｂに進入する。フィルタ３０をさらに第１方向へ回転させると、図８に示されるように、フィルタ３０の回転に伴って第１係合部３５ａが第１係合溝１６ａに沿って移動し、第２係合部３５ｂが第２係合溝１６ｂに沿って移動する。第１係合部３５ａおよび第２係合部３５ｂがそれぞれ所定位置まで移動すると、第１係合部３５ａに設けられている突起３６が第１係合溝１６ａの底面に設けられている凹部１９ａに嵌合し、第２係合部３５ｂに設けられている突起３６が第２係合溝１６ｂの底面に設けられている凹部１９ｂに嵌合する。この場合、第１係合部３５ａに設けられている突起３６が第１係合溝１６ａに設けられている凹部１９ａに嵌合する位置が、当該第１係合部３５ａの所定位置である。また、第２係合部３５ｂに設けられている突起３６が第２係合溝１６ｂに設けられている凹部１９ｂに嵌合する位置が、当該第２係合部３５ｂの所定位置である。尚、それぞれの突起３６が嵌合する凹部１９ａ，１９ｂは、各係合溝１６の長手方向中央に形成されている。
【００２７】
上記のように、第１係合部３５ａおよび第２係合部３５ｂが第１係合溝１６ａおよび第２係合溝１６ｂにそれぞれ係合し、かつ、所定位置まで移動すると、第１係合部３５ａに設けられている突起３６が第１係合溝１６ａに設けられている凹部１９ａに嵌合し、かつ、第２係合部３５ｂに設けられている突起３６が第２係合溝１６ｂに設けられている凹部１９ｂに嵌合し、フィルタ３０がハウジング１０に固定される。つまり、本実施形態では、すべての係合部３５が対応する係合溝１６に係合し、かつ、所定位置まで移動した状態が、ハウジング１０に対するフィルタ３０の正常な装着状態である。ここで、所定位置まで移動した各係合部３５に設けられている突起３６は、それぞれの係合部３５の弾性復元力によって凹部１９ａ，１９ｂに押し込まれる。
【００２８】
尚、フィルタ３０をハウジング１０に対して第１方向とは反対の第２方向（図８中において時計回り方向）に所定角度以上回転させると、第１係合部３５ａが第１係合溝１６ａから離脱し、第２係合部３５ｂが第２係合溝１６ｂから離脱する。つまり、フィルタ３０のハウジング１０に対する固定が解除される。
【００２９】
ハウジング１０には、上記のようにしてハウジング１０に装着されるフィルタがハウジング１０に正常に装着されていることを検知するためのセンサとしてのスイッチが設けられている。具体的には、図６に示されるように、ハウジング開口部の内側に、第１スイッチ５１および第２スイッチ５２が設けられている。第１スイッチ５１は、フィルタ３０の一部である第１係合部３５ａの移動経路上に配置されており、第２スイッチ５２は、フィルタ３０の他の一部である第２係合部３５ｂの移動経路上に配置されている。言い換えれば、第１スイッチ５１は、第１係合溝１６ａの延長線上に設けられており、第２スイッチ５２は、第２係合溝１６ｂの延長線上に設けられている。より具体的には、第１スイッチ５１は、フィルタ３０の第１方向への回転に伴って第１係合部３５ａが第１係合溝１６ａに沿って所定位置まで移動したとき、当該第１係合部３５ａが接触する位置に配置されている。また、第２スイッチ５２は、フィルタ３０の第１方向への回転に伴って第２係合部３５ｂが第２係合溝１６ｂに沿って所定位置まで移動したとき、当該第２係合部３５ｂが接触する位置に配置されている。よって、図８に示されるように、第１係合部３５ａおよび第２係合部３５ｂが所定位置まで移動すると、第１係合部３５ａによって第１スイッチ５１が押され、第２係合部３５ｂによって第２スイッチ５２が押される。この結果、各係合溝１６に係合した各係合部３５がフィルタ３０の第１方向への回転に伴って所定位置まで移動したこと、つまり、フィルタ３０がハウジング１０に正常に装着されたことが検知される。
【００３０】
第１スイッチ５１および第２スイッチ５２が押されると、これらスイッチ５１，５２から所定の電気信号（電圧）が出力され、制御部４３（図１）に入力される。以下の説明では、第１スイッチ５１から出力される電気信号を「第１検知信号」と呼び、第２スイッチ５２から出力される電気信号を「第２検知信号」と呼ぶ場合がある。
【００３１】
図１に示されている制御部４３は、第１検知信号および第２検知信号の両方が入力されると、フィルタ３０がハウジング１０に正常に装着されていると判断する。さらに、制御部４３は、第１検知信号および第２検知信号の両方が入力され、かつ、ボタン１２ａ又はボタン１２ｂ（図２）が操作された場合に限ってモータ４０に電力を供給し、モータ４０を作動させる。
【００３２】
一方、第１検知信号と第２検知信号の少なくとも一方が入力されていない状態でボタン１２ａ又はボタン１２ｂ（図２）が操作されると、制御部４３は、音と光の少なくとも一方によって、フィルタ３０がハウジング１０に正常に装着されていないこと、或いはフィルタ３０がそもそもハウジング１０に装着されていないことを使用者に報知する。具体的には、制御部４３は、第１検知信号と第２検知信号の少なくとも一方が入力されていない状態でボタン１２ａ又はボタン１２ｂが操作されると、報知部の一例であるＬＥＤランプ１２ｄ（図２）を点灯させたり、点滅させたりする。尚、フィルタ３０がハウジング１０に正常に装着されているときには、ＬＥＤランプ１２ｄが所定色（例えば緑色）で点灯し、フィルタ３０がハウジング１０に正常に装着されていないときや、フィルタ３０がハウジング１０に装着されていないときには、ＬＥＤランプ１２ｄが別の所定色（例えば赤色）で点灯する実施形態もある。また、フィルタ３０がハウジング１０に正常に装着されていないときや、フィルタ３０がハウジング１０に装着されていないときに、報知部の他の一例であるスピーカから警告音が発せられる実施形態もある。このようなＬＥＤランプ１２ｄの点灯色（発光色）の切り換えや、スピーカの作動も制御部４３の制御に基づいて実行される。
【００３３】
尚、図５に示されるように、フィルタ３０に設けられている第１係合部３５ａおよび第２係合部３５ｂの形状は同一である。よって、図６中において１２時の位置にある第１係合溝１６ａに対して第２係合部３５ｂを概ね２時の位置に配置し、かつ、６時の位置にある第２係合溝１６ｂに対して第１係合部３５ａを概ね８時の位置に配置した状態でフィルタ３０をハウジング１０に対して第１方向（図６中において反時計回り方向）に回転させることによっても、フィルタ３０をハウジング１０に装着することができる。この場合、フィルタ３０の第１方向への回転に伴って第２係合部３５ｂが第１係合溝１６ａに沿って移動し、第１係合部３５ａが第２係合溝１６ｂに沿って移動する。さらに、第１係合部３５ａおよび第２係合部３５ｂがそれぞれ所定位置まで移動すると、第１係合部３５ａに設けられている突起３６が第２係合溝１６ｂの底面に設けられている凹部１９ｂに嵌合し、第２係合部３５ｂに設けられている突起３６が第１係合溝１６ａの底面に設けられている凹部１９ａに嵌合する。つまり、この場合には、第１係合部３５ａに設けられている突起３６が第２係合溝１６ｂに設けられている凹部１９ｂに嵌合する位置が、当該第１係合部３５ａの所定位置である。また、第２係合部３５ｂに設けられている突起３６が第１係合溝１６ａに設けられている凹部１９ａに嵌合する位置が、当該第２係合部３５ｂの所定位置である。
【００３４】
（第２実施形態）
以下、本発明の実施形態の他の一例について図面を参照しながら説明する。もっとも、本実施形態に係る携帯用クリーナは、第１実施形態に係る携帯用クリーナ１Ａ（図１）と同一の基本構成を有している。そこで、第１実施形態に係る携帯用クリーナ１Ａとの相違点についてのみ説明し、既に説明した構成と同一または実質的に同一の構成についての説明は省略する。また、既に説明した構成と同一または実質的に同一の構成については同一の符号を用いる。
【００３５】
図９，図１０に示されるように、本実施形態に係る携帯用クリーナ１Ｂが備えるフィルタ３０の開口部３７の周囲には、係合部３５に加えて複数の当接部６５が突設されている。具体的には、フィルタ開口部の周囲に、第１当接部６５ａおよび第２当接部６５ｂが突設されている。より具体的には、プレフィルタ３１の環状部３３ａの外周に第１当接部６５ａ，第２当接部６５ｂが一体成形されている。第１当接部６５ａと第２当接部６５ｂとは、環状部３３ａの径方向において互いに正対する位置に形成されている。つまり、第１当接部６５ａと第２当接部６５ｂとは、フィルタ開口部の周方向において互いに離間している。言い換えれば、第１当接部６５ａと第２当接部６５ｂとは、フィルタ開口部の周方向において１８０度異なる位置に配置されている。既述のとおり、フィルタ開口部の周囲には、当該フィルタ開口部の周方向において１８０度異なる位置に配置された第１係合部３５ａおよび第２係合部３５ｂが設けられている。そして、第１係合部３５ａおよび第２係合部３５ｂと、第１当接部６５ａおよび第２当接部６５ｂとは、フィルタ開口部の周方向において９０度異なる位置に配置されている。つまり、第１係合部３５ａ，第２係合部３５ｂ，第１当接部６５ａおよび第２当接部６５ｂは、フィルタ開口部の周方向に沿って等間隔（９０度間隔）で配置されている。
【００３６】
本実施形態に係る携帯用クリーナ１Ｂが備えるハウジング１０にも、フィルタ３０がハウジング１０に正常に装着されていることを検知するためのセンサとしてのスイッチが設けられている。もっとも、第１実施形態に係る携帯用クリーナ１Ａが備えるハウジング１０には２つのスイッチ（第１スイッチ５１，第２スイッチ５２）が設けられていたのに対し、本実施形態に係る携帯用クリーナ１Ｂが備えるハウジング１０に設けられているスイッチは１つのみである。
【００３７】
具体的には、図１１，図１２に示されるように、ハウジング開口部の内側に、センサとしてのスイッチ５０が設けられている。スイッチ５０は、係合部３５と同じくフィルタ３０の一部である当接部６５の移動経路上に配置されている。より具体的には、ハウジング開口部を時計の文字盤に見立てた場合、第１係合溝１６ａは１２時の位置に配置されており、第２係合溝１６ｂは６時の位置に配置されており、スイッチ５０は３時の位置に配置されている。
【００３８】
上記と同様の手順によって、第１係合部３５ａおよび第２係合部３５ｂを第１係合溝１６ａおよび第２係合溝１６ｂにそれぞれ係合させ、かつ、所定位置に向けて移動させると、第１当接部６５ａおよび第２当接部６５ｂもフィルタ３０の第１方向への回転に伴って同方向に同距離だけ移動する。そして、第１係合部３５ａおよび第２係合部３５ｂが所定位置まで移動すると、第１当接部６５ａがスイッチ５０に接触し、当該スイッチ５０が押される。言い換えれば、フィルタ３０の第１方向への回転に伴って係合部３５が所定位置まで移動すると、当接部６５がスイッチ５０に接触するように、これら係合部３５、当接部６５およびスイッチ５０の周方向における位置関係が定められている。
【００３９】
本実施形態に係る携帯用クリーナ１Ｂにおいても、当接部６５によってスイッチ５０が押されると、当該スイッチ５０から検知信号が出力され、制御部４３に入力される。制御部４３は、検知信号が入力されると、フィルタ３０がハウジング１０に正常に装着されていると判断する。一方、検知信号が入力されていない状態でボタン１２ａやボタン１２ｂが操作されると、制御部４３は、報知部を作動させて、フィルタ３０がハウジング１０に正常に装着されていないこと、或いはフィルタ３０がそもそもハウジング１０に装着されていないことを使用者に報知する。
【００４０】
尚、図１１に示されている第２係合部３５ｂを第１係合溝１６ａに係合させて所定位置まで移動させ、かつ、第１係合部３５ａを第２係合溝１６ｂに係合させて所定位置まで移動させることによっても、フィルタ３０をハウジング１０に装着可能であることは第１実施形態と同様である。この場合、第１係合部３５ａおよび第２係合部３５ｂが所定位置まで移動すると、第２当接部６５ｂによってスイッチ５０が押される。
【００４１】
本発明は上記実施形態に限定されるものではなく、その要旨を逸脱しない範囲で種々変更可能である。例えば、上記実施形態では、複数の係合部の全てがハウジングに設けられている係合溝に係合し、かつ、所定位置まで移動した状態をフィルタのハウジングに対する正常な装着状態とした。しかし、フィルタに複数の係合部が設けられている場合、それら係合部の一部がハウジングに設けられている係合溝に係合し、かつ、所定位置まで移動していれば、フィルタの必要最低限の機能が発揮されることもある。よって、複数の係合部の一部が係合溝に係合し、かつ、所定位置まで移動した状態をフィルタのハウジングに対する正常な装着状態の１つに含めてもよい。例えば、図８等に示される第１スイッチ５１と第２スイッチ５２のいずれか一方が押されたときには、フィルタ３０がハウジング１０に正常に装着されていると判断してモータ４０に電力を供給してもよい。
【符号の説明】
【００４２】
１Ａ，１Ｂ…携帯用クリーナ、１０…ハウジング、１１…グリップ、１２…操作パネル、１２ａ，１２ｂ，１２ｃ…ボタン、１２ｄ…ＬＥＤランプ、１３…着脱部、１４…スリーブ、１５ａ…ガイド溝、１５ｂ…ガイド突起、１６…係合溝、１６ａ…第１係合溝、１６ｂ…第２係合溝、１７…リブ、１８…壁部、１９ａ，１９ｂ…凹部、２０…ダストケース、２０ａ…吸込み口、２１…係合突起、３０…フィルタ、３１…プレフィルタ、３２…メインフィルタ、３３…フレーム、３３ａ…環状部、３４…メッシュ材、３５…係合部、３５ａ…第１係合部、３５ｂ…第２係合部、３６…突起、３７…開口部、４０…モータ、４１…ファン、４１ａ…吸入口、４１ｂ…吐出口、４１ｃ…フィン、４２…電池パック、４３…制御部、５０…スイッチ、５１…第１スイッチ、５２…第２スイッチ、６５…当接部、６５ａ…第１当接部、６５ｂ…第２当接部
【図１】
2020192185.tif 000003
【図２】
2020192185.tif 000004
【図３】
2020192185.tif 000005
【図４】
2020192185.tif 000006
【図５】
2020192185.tif 000007
【図６】
2020192185.tif 000008
【図７】
2020192185.tif 000009
【図８】
2020192185.tif 000010
【図９】
2020192185.tif 000011
【図１０】
2020192185.tif 000012
【図１１】
2020192185.tif 000013
【図１２】
2020192185.tif 000014